【手続補正書】
【提出日】平成16年1月20日(2004.1.20)
【手続補正１】
【補正対象書類名】明細書
【補正対象項目名】特許請求の範囲
【補正方法】変更
【補正の内容】
【特許請求の範囲】
【請求項１】
下記式Ｉの１、４−ジケトピロロピロール
【化１】
1997323993.tif 000001
［式中、
R１とR２とは互いに独立的に水素、Ｃ１２−Ｃ２４アルキル、ＯまたはＳによって１回またはそれ以上中断されたＣ６-Ｃ２４アルキル、または下記式の基であり
【化２】
1997323993.tif 000002
（式中、
R５はＣ４-Ｃ１８アルキルまたはＣ５-Ｃ１０シクロアルキルである）、
R３は重合可能な反応基、
R４は、R１とR２とが水素の場合には、直接またはＯまたはＳを介してベンゼン環に結合された、そして中断されていないか、またはＯまたはＳによって１回またはそれ以上中断されたＣ６-Ｃ２４アルキルであり、また、
R４は、R１および／またはR２がＣ１２−Ｃ２４アルキルである場合には、ＯまたはＳによって１回またはそれ以上中断されたＣ６-Ｃ２４アルキルであるか、または下記式の基、
【化３】
1997323993.tif 000003
水素、ハロゲン、メチル、メトキシ、ＣＮまたはフェニルであるか、またはR３と同じである］。
【請求項２】
下記により定義される請求項１記載の式Ｉのジケトピロロピロール：
R３がＯＨ、ＳＨ、ＮＨ２ 、ＣＨＯ、ＮＣＯ、ヒドロキシフェニル、−ＣＨ＝ＣＨ２ 、−ＣＨ＝ＣＨ−ＣＯＯR６、−ＣＨ＝ＣＨ−ＣＮ、−Ｏ−Ｃ（Ｏ）−ＣＨ＝ＣＨ２−、 −Ｏ−Ｃ（Ｏ）−Ｃ（Ｍe）＝ＣＨ２，
【化４】
1997323993.tif 000004
またはＣ００R６（ここにおいて、R６は水素またはＣ１ −Ｃ６-アルキルである）であるか、
または
R３が下記式のいずれかの基である
【化５】
1997323993.tif 000005
［式中、
Ａは−Ｏ−、−ＮＨ−または−ＣＯＯ−、
ｍとｎとは互いに独立的にゼロ乃至１２の整数、
ｐとｒとは互いに独立的にゼロまたは１であり、
Ｘはメチレン、または中断されていないまたは−Ｏ−および／または−Ｓ−、−ＮＨ−、フェニレン、−ＣＯＯ−、−ＣＯＮＨ−または
【化６】
1997323993.tif 000006
（式中、R７は水素またはメチルである）によって中断されたＣ２-Ｃ１８アルキレンであり、
Ｙは下記式のいずれかの基
【化７】
1997323993.tif 000007
であり、
Ｚは−Ｏ−、−ＮＨ−、−ＣＯＯ−、フェニレン、
【化８】
1997323993.tif 000008
または−Ｓｉ（ＯＣＯＣＨ３)２ −であり、
Ｑは−ＯＨ、−ＮＨ２ 、グリシジル、−ＣＨＯ、−ＮＣＯ、−ＣＨ＝ＣＨ２ 、
−Ｃ（ＣＨ３)＝ＣＨ２ 、−ＣＯ−ＣＨ＝ＣＨ２ 、−ＣＯ−Ｃ（ＣＨ３)＝ＣＨ２ 、Ｃ５-Ｃ７ シクロアルケニル、
【化９】
1997323993.tif 000009
（式中，ｓは１乃至６の整数である）である］。
【請求項３】
下記により定義される請求項１記載の式Ｉのジケトピロロピロール：
R１とR２とが水素、
R４が、直接またはＯを介してベンゼン環に結合されているＣ６-Ｃ１８アルキルであるか、または基−Ｏ（ＣＨ２ ＣＨ２ Ｏ）Ｘ ＣＨ２ ＣＨ３ （式中、ｘは１、２または３である）である。
【請求項４】
下記により定義される請求項２記載の式Ｉのジケトピロロピロール：
R１およびR２の少なくとも１つがＣ１２- Ｃ１８アルキル、基（ＣＨ２ ＣＨ２ Ｏ）Ｘ ＣＨ２ ＣＨ３ （ここにおいて、ｘは１、２または３である）または下記式の基であり、
【化１０】
1997323993.tif 000010
R３が請求項２において定義した通りであり、
R４が水素またはR３について定義した通りである。
【請求項５】
下記により定義される請求項２記載の式Ｉのジケトピロロピロール：
R３がＯＨ、ＮＨ２ または下記式の基である
−Ｘ−（Ｏ)ｒ−Ｑ          （ＩＶ）
（式中、
Ｘは中断されていないか、または−Ｏ−によって１、２または３回および／または−Ｓ−、−ＮＨ−、または
【化１１】
1997323993.tif 000011
によって１回中断されたＣ４-Ｃ１２アルキレンであり、
ｒとR７とは前記に定義した通りであり、
Ｑは−ＯＨ、−ＣＨ＝ＣＨ２ 、−Ｃ（ＣＨ３)＝ＣＨ２ 、−ＣＯ−ＣＨ＝ＣＨ２ 、または−ＣＯ−Ｃ（ＣＨ３)＝ＣＨ２ である）。
【請求項６】
下記式のジケトピロロピロール
【化１２】
1997323993.tif 000012
［式中、
R８は下記式のいずれかの基
【化１３】
1997323993.tif 000013
（式中、Ｘ、Ｙ、Ｚ、Ｑ、ｍ，ｎ，ｐ，ｒは請求項２において定義した通りである）であり、
R９は水素またはR８であり、
R３とR４とは請求項１において定義した通りである］。
【請求項７】
コハク酸ジエステルとニトリルとを反応させて請求項１乃至６のいずれかに記載のジケトピロロピロールを製造する方法において、
（工程ａ）非対称形または対称形ジアルキルまたはジアリールコハク酸エステル、またはモノアルキルモノアリールコハク酸エステルまたはジシクロヘキシルコハク酸エステルを、下記式
【化１４】
1997323993.tif 000014
のニトリル、または下記式の２つのニトリル
【化１５】
1997323993.tif 000015
（式中、R３とR４とは前記に定義した通りであり、そしてさらに通常の保護基であることもできる）の混合物、好ましくは等モル混合物と、有機溶剤中において、強塩基の存在下で、所望のモル比で反応させ、その反応生成物を加水分解し、そして、所望の場合には、所望生成物を単離する、
（工程ｂ）所望の場合には、R１とR２とが水素である得られた式Ｉのジケトピロロピロールを、
（ｂ１）下記式ＸＩのジカーボネート
【化１６】
1997323993.tif 000016
と、所望のモル比で、反応させるか、または
（ｂ２）所望のモル比で、下記式ＸII
Ｒ１ −Ｈａｌ      (XII)
（式中、R１はＣ１２−Ｃ２４アルキル、またはＯまたはＳによって１回またはそれ以上中断されたＣ６-Ｃ２４アルキルである）のハロゲン化合物と反応させるか、または
（ｂ３）所望のモル比で、式
Ｈal-(ＣＨ２)ｍ-ＣＨ＝ＣＨ-(ＣＨ２)ｎ-ＣＨ３ またはＨal-(Ｙ)ｐ−Ｘ−（Ｚ)ｒ−Ｑ
（式中、ｍ，ｎ，ｐ，ｒ，Ｙ，Ｘ，ＱおよびＺは請求項２において定義した通りである）のハロゲン化合物と反応させる、
（工程ｃ）所望の場合には、R３および／またはR４が保護基である式Ｉのジケトピロロピロールを、常用方法で工程ｂの直前または工程ｂに続いて反応させて対応する所望の目標構造を得ることを特徴とする方法。
【請求項８】
重合反応または重合体−類似体反応によって重合体を製造または変性する方法において、式Ｉのジケトピロロピロールを、所望の場合は、適当なコモノマーまたは重合可能な基を有する重合体の存在下において、重合することを特徴とする方法。
【請求項９】
請求項１乃至６のいずれかに記載のジケトピロロピロールまたは請求項７記載の方法によって製造されたジケトピロロピロールを、重合反応または重合体−類似体反応による重合体の製造のために使用する方法。
【請求項１０】
請求項１乃至６のいずれかに記載のジケトピロロピロールまたは請求項７記載の方法によって製造されたジケトピロロピロールを使用して変性された、または製造された重合体。
【手続補正２】
【補正対象書類名】明細書
【補正対象項目名】０００６
【補正方法】変更
【補正の内容】
【０００６】
好ましくは、R３はＯＨ、ＳＨ、ＮＨ２ 、ＣＨＯ、ＮＣＯ、ヒドロキシフェニル、−ＣＨ＝ＣＨ２ 、−ＣＨ＝ＣＨ−ＣＯＯR６、−ＣＨ＝ＣＨ−ＣＮ、−Ｏ−Ｃ（Ｏ）−ＣＨ＝ＣＨ２、−Ｏ−Ｃ（Ｏ）−Ｃ（Ｍe）＝ＣＨ２，
【化２０】
1997323993.tif 000017
またはＣ００R６（ここにおいて、R６は水素またはＣ１ −Ｃ６-アルキルである）であるか、または
R３は下記式のいずれかの基である
【化２１】
1997323993.tif 000018
［式中、
Ａは−Ｏ−、−ＮＨ−または−ＣＯＯ−、
ｍとｎとは互いに独立的にゼロ乃至１２の整数、
ｐとｒとは互いに独立的にゼロまたは１であり、
Ｘはメチレンまたは中断されていないまたは−Ｏ−および／または−Ｓ−、−ＮＨ−、フェニレン、−ＣＯＯ−、−ＣＯＮＨ−または
【化２２】
1997323993.tif 000019
（式中、R７は水素またはメチルである）によって中断されたＣ２-Ｃ１８アルキレンであり、
Ｙは下記式のいずれかの基
【化２３】
1997323993.tif 000020
であり、
Ｚは−Ｏ−、−ＮＨ−、−ＣＯＯ−、フェニレン、
【化２４】
1997323993.tif 000021
または−Ｓｉ（ＯＣＯＣＨ３)２ −であり、
Ｑは−ＯＨ、−ＮＨ２ 、グリシジル、−ＣＨＯ、−ＮＣＯ、−ＣＨ＝ＣＨ２ 、
−Ｃ（ＣＨ３)＝ＣＨ２ 、−ＣＯ−ＣＨ＝ＣＨ２ 、−ＣＯ−Ｃ（ＣＨ３)＝ＣＨ２ 、Ｃ５-Ｃ７ シクロアルケニル、
【化２５】
1997323993.tif 000022
（式中，ｓは１乃至６の整数である）である］。